【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
基材の汚染部分を乾燥フィルム層と接触させ；
乾燥フィルム層に圧力を適用して、基材の汚染部分及び汚染に隣接した基材の少なくとも一部分に乾燥フィルム層を接着させ；そして
その後、基材及び乾燥フィルム層に１層又はそれ以上の液状被覆層で被覆する
工程を含んでなる塗装される基材上の汚染をブロックする方法。
【請求項２】
表面欠陥を含む基材の部分を乾燥フィルム層と接触させ；
乾燥フィルム層に圧力を適用して、表面欠陥を含む基材の部分及び表面欠陥に隣接した基材の少なくとも一部に乾燥フィルム層を接着させ；そして
その後、基材及び乾燥フィルム層に１層又はそれ以上の液状被覆層を被覆する
工程を含んでなる塗装される基材上の表面欠陥をブロックする方法。
【請求項３】
前記乾燥フィルム層を剥離紙上に施し、且つ乾燥フィルム層に適用される圧力を剥離層を通して与える請求項１又は２に記載の方法。
【請求項４】
前記乾燥フィルム層に、基材の汚染部分及び汚染に隣接した基材の部分への乾燥フィルム層の接着を助ける接着剤層を施す請求項１又は２に記載の方法。
【請求項５】
基材の実質的に全てに１層又はそれ以上の液状被覆層を被覆する請求項１又は２に記載の方法。
【請求項６】
前記基材が実質的に垂直である請求項１又は２に記載の方法。
【請求項７】
前記基材が塗装された壁を含む請求項１又は２に記載の方法。
【請求項８】
前記基材が塗り壁を含む請求項１又は２に記載の方法。
【請求項９】
前記基材が塗り壁、ウォールボード、パーティクルボード、木材、木材−複合材料、コンクリート又は壁紙の１種又はそれ以上を含む請求項１又は２に記載の方法。
【請求項１０】
前記汚染がインキ、クレヨン、口紅、皮膚鉛筆、着色マーカー、煙、水又はタンニンの１種又はそれ以上によってもたらされる可視マークを含む請求項１に記載の方法。
【請求項１１】
前記汚染が親水性である請求項１に記載の方法。
【請求項１２】
前記汚染が親油性であり且つ基材の汚染部分への水性被覆組成物の接着を阻害する請求項１に記載の方法。
【請求項１３】
前記汚染が食物残渣を含む請求項１に記載の方法。
【請求項１４】
前記汚染が基材表面に存在する請求項１に記載の方法。
【請求項１５】
前記汚染が基材上に施されたペイント層の表面に存在する請求項１に記載の方法。
【請求項１６】
前記汚染が基材上に施されたペイント層内部に存在する請求項１に記載の方法。
【請求項１７】
前記汚染が染料、共役有機化合物、芳香族色素体又は木の節の１種又はそれ以上を含む請求項１に記載の方法。
【請求項１８】
前記汚染が水又は有機溶剤に可溶性である請求項１に記載の方法。
【請求項１９】
前記汚染が容易には視認できない透明な又は顔料添加がされていない油状又は親油性物質を含む請求項１に記載の方法。
【請求項２０】
前記汚染が鉱油、ペトロラタム又はワックスの１種又はそれ以上を含む請求項１に記載の方法。
【請求項２１】
前記乾燥フィルム層が後から適用される１層又はそれ以上の液状被覆層への汚染の移行を防止する請求項１に記載の方法。
【請求項２２】
前記乾燥フィルム層が後から適用される１層又はそれ以上の液状被覆層が汚染を溶解するのを防止する請求項１に記載の方法。
【請求項２３】
乾燥フィルム層；
乾燥フィルム層が上に施される剥離層；並びに
場合によっては、乾燥フィルム層の汚染への接着を助ける、乾燥フィルム層の、剥離層とは反対の側に存在する接着剤層
を含む請求項１又は２に記載の方法における使用に適当な汚染ブロック組成物。
【請求項２４】
前記乾燥フィルム層がアクリルポリマー、ウレタンポリマー、エポキシポリマー、炭化水素樹脂、ビニルポリマー、エチレンコポリマー又はスチレンコポリマーの１種又はそれ以上を含む請求項２３に記載の汚染ブロック組成物。
【請求項２５】
前記乾燥フィルム層が、剥離層上に液体ペイントを塗布し且つ該液体ペイントを乾燥させることによって剥離層上に形成される請求項２３に記載の汚染ブロック組成物。
【請求項２６】
前記乾燥フィルム層が架橋ポリマー又は非架橋ポリマーの１種又はそれ以上を含む請求項２３に記載の汚染ブロック組成物。
【請求項２７】
前記乾燥フィルム層がカチオン性ポリマー、アニオン性ポリマー又は中性ポリマーの１種又はそれ以上を含む請求項２３に記載の汚染ブロック組成物。
【請求項２８】
前記乾燥フィルム層が１種又はそれ以上の層を含み、その各層がカチオン性ポリマー、アニオン性ポリマー又は中性ポリマーを含む請求項２３に記載の汚染ブロック組成物。
【請求項２９】
前記乾燥フィルム層が指触乾燥状態であり且つ液状物質を滲出しない請求項２３に記載の汚染ブロック組成物。
【請求項３０】
前記乾燥フィルム層がポリマーを含む請求項２３に記載の汚染ブロック組成物。
【請求項３１】
前記乾燥フィルム層が液体水性ラテックスから形成される請求項２３に記載の汚染ブロック組成物。
【請求項３２】
前記乾燥フィルム層が硬化アルキド樹脂又はポリエステルペイントを含む請求項２３に記載の汚染ブロック組成物。
【請求項３３】
前記乾燥フィルム層が乾燥ペイントを含む請求項２３に記載の汚染ブロック組成物。
【請求項３４】
前記乾燥フィルム層が感圧性接着フィルムを含む請求項２３に記載の汚染ブロック組成物。
【請求項３５】
前記乾燥フィルム層が実質的に溶剤を含まない請求項２３に記載の汚染ブロック組成物。
【請求項３６】
前記乾燥フィルム層が実質的に非孔質性である請求項２３に記載の汚染ブロック組成物。
【請求項３７】
前記乾燥フィルム層が酸官能基を有するポリマーを含む請求項２３に記載の汚染ブロック組成物。
【請求項３８】
前記乾燥フィルム層が環状尿素官能基、アミン官能基又は第四級アンモニウム官能基の１種又はそれ以上を有するポリマーを含む請求項２３に記載の汚染ブロック組成物。
【請求項３９】
前記乾燥フィルム層が増粘剤を含む水性コーティングから形成される請求項２３に記載の汚染ブロック組成物。
【請求項４０】
前記乾燥フィルム層が感圧性接着剤を含む請求項２３に記載の汚染ブロック組成物。
【請求項４１】
前記乾燥フィルム層が少なくとも１つの薄くされた縁部を含む請求項２３に記載の組成物。
【請求項４２】
前記乾燥フィルム層が少なくとも２つの薄くされた縁部を有する請求項２３に記載の組成物。
【請求項４３】
前記乾燥フィルム層の縁部が薄くされている請求項２３に記載の組成物。
【請求項４４】
前記乾燥フィルム層が少なくとも０．５ｃｍの幅を有する請求項２３に記載の組成物。
【請求項４５】
前記乾燥フィルム層が少なくとも２ｃｍの幅を有する請求項２３に記載の組成物。
【請求項４６】
前記乾燥フィルム層が０．５ｃｍ〜１ｍの幅を有する請求項２３に記載の組成物。
【請求項４７】
前記乾燥フィルム層が４ｃｍ〜７０ｃｍの幅を有する請求項２３に記載の組成物。
【請求項４８】
ローラーによって圧力を適用する請求項１又は２に記載の方法。
【請求項４９】
スパチュラ又は他のブレードアプリケーターによって圧力を適用する請求項３に記載の方法。
【請求項５０】
手で圧力を提供する請求項３に記載の方法。
【請求項５１】
乾燥フィルム層の表面全体に均一に圧力を適用する請求項３に記載の方法。
【請求項５２】
前記接着剤層がアクリルポリマー、炭化水素ポリマー又はウレタンポリマーの１種又はそれ以上を含む請求項２３に記載の組成物。
【請求項５３】
前記接着剤層が−６０℃〜０℃のＴｇを有するポリマーを含む請求項２３に記載の組成物。
【請求項５４】
前記接着剤層が粘着付与剤樹脂を含む請求項２３に記載の組成物。
【請求項５５】
前記接着剤層がスチレン−イソプレンポリマーを含む請求項２３に記載の組成物。
【請求項５６】
前記接着剤層がアクリルラテックスポリマーを含む請求項２３に記載の組成物。
【請求項５７】
前記接着剤層が１〜５０マイクロメーターの厚さを有する請求項２３に記載の組成物。
【請求項５８】
前記接着剤層が１種又はそれ以上の顔料を含む請求項２３に記載の組成物。
【請求項５９】
前記剥離層がシリコーンポリマー、フルオロポリマー、炭化水素ポリマー、紙、グラシン紙、ポリエチレン、ポリプロピレン、ポリエチレンテレフタレート又はナイロンの１種又はそれ以上を含む請求項２３に記載の組成物。
【請求項６０】
前記乾燥フィルム層が２．５〜５００マイクロメーターの厚さを有する請求項２３に記載の組成物。
【請求項６１】
前記乾燥フィルム層が１０〜１５０マイクロメーターの厚さを有する請求項２３に記載の組成物。
【請求項６２】
前記乾燥フィルム層が−５０℃〜＋８０℃のＴｇを有するポリマーを含む請求項２３に記載の組成物。
【請求項６３】
前記乾燥フィルム層が−２０℃〜＋４０℃のＴｇを有するポリマーを含む請求項２３に記載の組成物。
【請求項６４】
前記乾燥フィルム層がスチレン−アクリルラテックスから製造される請求項２３に記載の組成物。
【請求項６５】
前記接着剤層が水性ラテックスから製造される請求項２３に記載の組成物。
【請求項６６】
前記乾燥フィルム層がアクリルラテックスから製造される請求項２３に記載の組成物。
【請求項６７】
前記乾燥フィルム層が、アクリルラテックス及び増粘剤から製造され且つ接着剤層が水性ラテックスから製造される請求項２３に記載の組成物。
【請求項６８】
前記乾燥フィルム層がアミン硬化エポキシ樹脂；水性ウレタン；酢酸ビニル−アクリルラテックス；２−エチルヘキシルアクリレート、アクリロニトリル、メタクリル酸及び２−ホスファトエチルメタクリレートの残基を含むラテックス；アクリルラテックス；又はポリ（ビニルアルコール）の１種又はそれ以上から製造される請求項２３に記載の組成物。
【請求項６９】
前記乾燥フィルム層が接着剤ラテックスから製造される請求項２３に記載の組成物。
【請求項７０】
前記汚染が亀裂又はくぎ穴を含む請求項１又は２に記載の方法。
【請求項７１】
前記乾燥フィルム層が１つ又はそれ以上の薄くされた縁部を有する請求項１又は２に記載の方法。
【請求項７２】
任意の接着剤層が環状尿素官能基、アミン官能基及び第四級アンモニウム官能基の１種又はそれ以上を有するポリマーを含む請求項２３に記載の汚染ブロック組成物。
【請求項７３】
前記乾燥フィルム層が少なくとも１ｃｍの幅を有する請求項２３に記載の組成物。